(57)【特許請求の範囲】
【請求項１】
ＦＤＤセル及びＴＤＤセルとキャリアアグリゲーションを適用して通信を行うユーザ端末であって、
各セルから送信されるＤＬ信号を受信する受信部と、
受信したＤＬ信号に対する送達確認信号を所定のサブフレームに割当ててフィードバックするフィードバック制御部と、を有し、
前記フィードバック制御部は、ＦＤＤセルとＴＤＤセルの両方でＵＬサブフレームが設定される場合に、ＰＣｅｌｌが設定されるセルに関わらず、両方の上り制御チャネルを利用して送達確認信号をフィードバックし、かつＦＤＤセルの一方にＵＬサブフレームが設定される場合にＦＤＤセルの上り制御チャネルを利用して送達確認信号をフィードバックすることを特徴とするユーザ端末。
【請求項２】
前記フィードバック制御部は、ＦＤＤセルとＴＤＤセルがそれぞれ異なるスケジューラでスケジューリングされる場合と、ＦＤＤセルとＴＤＤセルが同じスケジューラでスケジューリングされる場合に共通のＨＡＲＱタイミングを適用することを特徴とする請求項１に記載のユーザ端末。
【請求項３】
前記フィードバック制御部は、ＦＤＤセルのＤＬ信号に対する送達確認信号とＴＤＤセルのＤＬ信号に対する送達確認信号の送信を、各セルの上り制御チャネルを利用してそれぞれ独立に制御することを特徴とする請求項１又は請求項２に記載のユーザ端末。
【請求項４】
前記受信部は、ＦＤＤセルとＴＤＤセルの両方でＵＬサブフレームが設定される場合に、各セルの上り制御チャネルに関する情報が含まれる下り制御情報を受信することを特徴とする請求項１から請求項３のいずれかに記載のユーザ端末。
【請求項５】
ＦＤＤセル及びＴＤＤセルとキャリアアグリゲーションを利用するユーザ端末と通信する基地局であって、
ＤＬ信号を送信する送信部と、
前記ＤＬ信号に対してユーザ端末から送信される送達確認信号を所定のＵＬサブフレームで受信する受信部と、を有し、
前記受信部は、ＦＤＤセルとＴＤＤセルの両方でＵＬサブフレームが設定される場合に、ＰＣｅｌｌが設定されるセルに関わらず、両方の上り制御チャネルでフィードバックされる送達確認信号を受信し、かつＦＤＤセルの一方にＵＬサブフレームが設定される場合にＦＤＤセルの上り制御チャネルでフィードバックされる送達確認信号を受信することを特徴とする基地局。
【請求項６】
ＦＤＤセル及びＴＤＤセルとキャリアアグリゲーションを適用して通信を行うユーザ端末の無線通信方法であって、
各セルから送信されるＤＬ信号を受信する工程と、
受信したＤＬ信号に対する送達確認信号を所定のＵＬサブフレームに割当ててフィードバックする工程と、を有し、
ＦＤＤセルとＴＤＤセルの両方でＵＬサブフレームが設定される場合に、ＰＣｅｌｌが設定されるセルに関わらず、両方の上り制御チャネルを利用して送達確認信号をフィードバックし、かつＦＤＤセルの一方にＵＬサブフレームが設定される場合にＦＤＤセルの上り制御チャネルを利用して送達確認信号をフィードバックすることを特徴とする無線通信方法。
【発明の詳細な説明】
【技術分野】
【０００１】
本発明は、次世代の通信システムに適用可能なユーザ端末、基地局及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。ＬＴＥではマルチアクセス方式として、下り回線（下りリンク）にＯＦＤＭＡ（Orthogonal  Frequency  Division  Multiple  Access）をベースとした方式を用い、上り回線（上りリンク）にＳＣ−ＦＤＭＡ（Single  Carrier  Frequency  Division  Multiple  Access）をベースとした方式を用いている。また、ＬＴＥからのさらなる広帯域化及び高速化を目的として、ＬＴＥの後継システム（例えば、ＬＴＥアドバンスト又はＬＴＥエンハンスメントと呼ぶこともある（以下、「ＬＴＥ−Ａ」という））も検討され、仕様化されている（Ｒｅｌ．１０／１１）。
【０００３】
ＬＴＥ、ＬＴＥ−Ａシステムの無線通信における複信形式（Ｄｕｐｌｅｘ−ｍｏｄｅ）として、上りリンク（ＵＬ）と下りリンク（ＤＬ）を周波数で分割する周波数分割複信（ＦＤＤ）と、上りリンクと下りリンクを時間で分割する時間分割複信（ＴＤＤ）とがある（図１Ａ参照）。ＴＤＤの場合、上りリンクと下りリンクの通信に同じ周波数領域が適用され、一つの送受信ポイントから上りリンクと下りリンクが時間で分けられて信号の送受信が行われる。
【０００４】
また、ＬＴＥ−Ａシステム（Ｒｅｌ．１０／１１）のシステム帯域は、ＬＴＥシステムのシステム帯域を一単位とする少なくとも１つのコンポーネントキャリア（ＣＣ：Component  Carrier）を含んでいる。複数のコンポーネントキャリア（セル）を集めて広帯域化することをキャリアアグリゲーション（ＣＡ：Carrier  Aggregation）という。
【先行技術文献】
【非特許文献】
【０００５】
【非特許文献１】3GPP  TS  36.300“Evolved  UTRA  and  Evolved  UTRAN  Overall  description”
【発明の概要】
【発明が解決しようとする課題】
【０００６】
Ｒｅｌ．１０／１１で導入されたキャリアアグリゲーション（ＣＡ）では、複数のＣＣ（セル、送受信ポイントともいう）間で適用されるＤｕｐｌｅｘ−ｍｏｄｅは、同一のＤｕｐｌｅｘ−ｍｏｄｅに限られている（図１Ｂ参照）。一方で、将来の無線通信システム（例えば、Ｒｅｌ．１２以降）では、複数ＣＣ間で異なるＤｕｐｌｅｘ−ｍｏｄｅ（ＴＤＤ＋ＦＤＤ）を適用したＣＡも想定される（図１Ｃ参照）。
【０００７】
また、Ｒｅｌ．１０／１１では、複数ＣＣ間で１つのスケジューラを用いてＣＡを制御する基地局内ＣＡ（Ｉｎｔｒａ−ｅＮＢ  ＣＡ）を想定している。かかる場合、各ＣＣにおいて送信されるＤＬデータ信号（ＰＤＳＣＨ信号）に対するＰＵＣＣＨ信号（送達確認信号（ＡＣＫ／ＮＡＣＫ）等）は、特定のＣＣ（プライマルセル（ＰＣｅｌｌ））に集約するように多重されて送信される。
【０００８】
複数ＣＣ間で異なるＤｕｐｌｅｘ−ｍｏｄｅ（ＴＤＤ＋ＦＤＤ）が適用されるＣＡにおいて従来のフィードバックメカニズムを用いる場合、上りリンクにおける送達確認信号等の送信を適切に行えなくなるおそれがある。
【０００９】
本発明はかかる点に鑑みてなされたものであり、複数セル間で異なるＤｕｐｌｅｘ−ｍｏｄｅを適用してＣＡを行う場合であっても、上りリンクにおける送信を適切に行うことができるユーザ端末、基地局及び無線通信方法を提供することを目的の一とする。
【課題を解決するための手段】
【００１０】
本発明のユーザ端末は、ＦＤＤセル及びＴＤＤセルとキャリアアグリゲーションを適用して通信を行うユーザ端末であって、各セルから送信されるＤＬ信号を受信する受信部と、受信したＤＬ信号に対する送達確認信号を所定のサブフレームに割当ててフィードバックするフィードバック制御部と、を有し、前記フィードバック制御部は、ＦＤＤセルとＴＤＤセルの両方でＵＬサブフレームが設定される場合に、ＰＣｅｌｌが設定されるセルに関わらず、両方の上り制御チャネルを利用して送達確認信号をフィードバックし、かつＦＤＤセルの一方にＵＬサブフレームが設定される場合にＦＤＤセルの上り制御チャネルを利用して送達確認信号をフィードバックすることを特徴とする。
【発明の効果】
【００１１】
本発明によれば、複数セル間で異なるＤｕｐｌｅｘ−ｍｏｄｅを適用してＣＡを行う場合であっても、上りリンクにおける送信を適切に行うことができる。
【図面の簡単な説明】
【００１２】
【図１】ＬＴＥ、ＬＴＥ−ＡにおけるＤｕｐｌｅｘ−ｍｏｄｅと、基地局内ＣＡ（Ｉｎｔｒａ−ｅＮＢ  ＣＡ）の概要を説明するための図である。
【図２】基地局内ＣＡ（Ｉｎｔｒａ−ｅＮＢ  ＣＡ）と、基地局間ＣＡ（Ｉｎｔｅｒ−ｅＮＢ  ＣＡ）を説明するための図である。
【図３】ＦＤＤ、ＴＤＤにおけるＤＬ  ＨＡＲＱタイミング（上りＡ／Ｎフィードバックタイミング）を説明するための図である。
【図４】ＴＤＤ−ＦＤＤ  ＣＡにおいて、既存のＡ／Ｎフィードバックタイミングを適用した場合のフィードバックタイミングを説明するための図である。
【図５】ＴＤＤ−ＦＤＤ  ＣＡにおいて、本実施の形態にかかるＡ／Ｎフィードバック方法の一例を示す図である。
【図６】ＴＤＤ−ＦＤＤ  ＣＡにおいて、本実施の形態にかかるＡ／Ｎフィードバック方法の他の一例を示す図である。
【図７】ＴＤＤ−ＦＤＤ  ＣＡにおいて、本実施の形態にかかるＡ／Ｎフィードバック方法の他の一例を示す図である。
【図８】ＴＤＤ−ＦＤＤ  ＣＡにおいて、本実施の形態にかかるＡ／Ｎフィードバック方法の他の一例を示す図である。
【図９】ＴＤＤ−ＦＤＤ  ＣＡにおいて、本実施の形態にかかるＡ／Ｎフィードバック方法の他の一例を示す図である。
【図１０】ＴＤＤ−ＦＤＤ  ＣＡにおいて、ＲＦ調整期間を設けたフィードバック方法の一例を示す図である。
【図１１】ＴＤＤ−ＦＤＤ  ＣＡにおいて、本実施の形態にかかるＲＦ調整期間を設けたフィードバック方法の一例を示す図である。
【図１２】ＴＤＤ−ＦＤＤ  ＣＡにおいて、本実施の形態で適用可能なＤＬ  ＨＡＲＱタイミングの他の例を説明するための図である。
【図１３】本実施の形態に係る無線通信システムの一例を示す概略図である。
【図１４】本実施の形態に係る無線基地局の全体構成の説明図である。
【図１５】本実施の形態に係る無線基地局の機能構成の説明図である。
【図１６】本実施の形態に係るユーザ端末の全体構成の説明図である。
【図１７】本実施の形態に係るユーザ端末の機能構成の説明図である。
【発明を実施するための形態】
【００１３】
上述したように、ＬＴＥ、ＬＴＥ−Ａシステムでは、Ｄｕｐｌｅｘ  ｍｏｄｅとしてＦＤＤとＴＤＤの２つが規定されている（上記図１Ａ参照）。また、Ｒｅｌ．１０からは、基地局内ＣＡ（Ｉｎｔｒａ−ｅＮＢ  ＣＡ）がサポートされている。しかし、Ｒｅｌ．１０／１１におけるＣＡは、同一Ｄｕｐｌｅｘ−ｍｏｄｅ（ＦＤＤ＋ＦＤＤ  Ｉｎｔｒａ−ｅＮＢ  ＣＡ、又はＴＤＤ＋ＴＤＤ  Ｉｎｔｒａ−ｅＮＢ  ＣＡ）に限られていた（上記図１Ｂ参照）。
【００１４】
一方で、Ｒｅｌ．１２以降のシステムでは、複数ＣＣ間で異なるＤｕｐｌｅｘ−ｍｏｄｅ（ＴＤＤ＋ＦＤＤ）を適用した基地局内ＣＡ（Ｉｎｔｒａ−ｅＮＢ  ＣＡ）が想定されている（上記図１Ｃ参照）。また、Ｒｅｌ．１２以降のシステムでは、基地局間ＣＡ（Ｉｎｔｅｒ−ｅＮＢ  ＣＡ）の適用も想定されている（図２Ａ参照）。なお、基地局間ＣＡは、Ｄｕｐｌｅｘ−ｍｏｄｅに限らずサポートされることが望ましく、異なるＤｕｐｌｅｘ−ｍｏｄｅ（ＴＤＤ＋ＦＤＤ）も含めた基地局間ＣＡが導入されることが考えられる。
【００１５】
基地局内ＣＡ（Ｉｎｔｒａ−ｅＮＢ  ＣＡ）は、複数セル間で１つのスケジューラを用いてスケジューリングを制御する（図２Ｂ参照）。つまり、ユーザ端末は、送達確認信号（ＡＣＫ／ＮＡＣＫ（以下、「Ａ／Ｎ」とも記す））等の上り制御信号（ＵＣＩ）を特定セル（ＰＣｅｌｌ）にのみフィードバックすればよい。
【００１６】
一方で、基地局間ＣＡ（Ｉｎｔｅｒ−ｅＮＢ  ＣＡ）は、複数セル毎にスケジューラが独立して設けられ、各セルでそれぞれスケジューリングを制御する。また、Ｉｎｔｅｒ−ｅＮＢ  ＣＡでは、各基地局間は遅延が無視できない接続（Ｎｏｎ−ｉｄｅａｌ  ｂａｃｋｈａｕｌ接続）とすることが想定されている。そのため、ユーザ端末は、上り制御信号（ＵＣＩ）を各セルにフィードバックする必要がある（図２Ｃ参照）。
【００１７】
複数ＣＣ（セル）間で異なるＤｕｐｌｅｘ−ｍｏｄｅを適用してＣＡを行う場合（ＴＤＤ−ＦＤＤ  ＣＡ）、ユーザ端末がどのようにＡ／Ｎフィードバックを行うかが問題となる。例えば、Ｉｎｔｅｒ−ｅＮＢ  ＣＡでは、複数ＣＣ独立にＨＡＲＱを行うことが考えられる。この場合、ＦＤＤを適用するセル（ＦＤＤセル）とＴＤＤを適用するセル（ＴＤＤセル）から同一サブフレームでそれぞれＡ／Ｎを同時送信することも考えられる。
【００１８】
一方で、Ｉｎｔｒａ−ｅＮＢ  ＣＡでは、（１）Ｉｎｔｅｒ−ｅＮＢ  ＣＡと同様に複数ＣＣ独立にＨＡＲＱを行う場合と、（２）いずれかのＣＣに複数ＣＣ分のＡ／Ｎを多重して送信する場合が考えられる。後者（２）の場合には、いずれかのＣＣにＡ／Ｎが集約されるため、Ａ／Ｎの同時送信は生じない。また、Ｉｎｔｒａ−ｅＮＢ  ＣＡにおいて、ユーザ端末がいずれのフィードバック方法を適用するかは、ユーザ端末の能力（ＵＥ  ｃａｐａｂｉｌｉｔｙ）や各ＣＣで適用される周波数帯の組み合わせ（Ｂａｎｄ  ｃｏｍｂｉｎａｔｉｏｎ）等に依存し、基地局側でユーザ端末に設定することが考えられる。
【００１９】
上述したＴＤＤ−ＦＤＤ  ＣＡにおいて、従来のフィードバックメカニズムをそのまま適用することが考えられる。例えば、複数ＣＣ間で異なるＤｕｐｌｅｘ−ｍｏｄｅを適用してＩｎｔｒａ−ｅＮＢ  ＣＡを行う場合（上記（２））、ＰＣｅｌｌのＰＵＣＣＨに複数ＣＣ分のＡ／Ｎを多重してフィードバックする。この場合について、以下に簡単に説明する。
【００２０】
図３Ａは、ＦＤＤを適用するセル（以下、「ＦＤＤセル」とも記す）においてユーザ端末がＰＤＳＣＨ信号に対するＡＣＫ／ＮＡＣＫをフィードバックするタイミングを示している。この場合、ユーザ端末は、ＰＤＳＣＨ信号が割当てられたＤＬサブフレームから所定（例えば、４ｍｓ）後のＵＬサブフレームでＡ／Ｎをフィードバックする。
【００２１】
図３Ｂは、ＴＤＤを適用するセル（以下、「ＴＤＤセル」とも記す）においてユーザ端末がＰＤＳＣＨ信号に対するＡＣＫ／ＮＡＣＫをフィードバックするタイミングを示している。この場合、ユーザ端末は、ＰＤＳＣＨ信号が割当てられたＤＬサブフレームにあらかじめ割当てられたＵＬサブフレームでＡ／Ｎをフィードバックする。
【００２２】
Ｒｅｌ．１１までのシステムにおけるＴＤＤは、ＵＬとＤＬの構成比率が複数パターン定められており（DL/UL  Configuration0-6）、各ＤＬ／ＵＬ構成においてＵＬサブフレームに割当てられるＤＬサブフレームが決められている。例えば、図３Ｂは、ＤＬ／ＵＬ構成２（ＤＬ／ＵＬ  Ｃｏｎｆｉｇ．２）の場合を示しており、各ＤＬサブフレームは所定のＵＬサブフレームに割当てられている（対応付けられている）。図３Ｂにおいて、各ＤＬサブフレーム（特別サブフレームを含む）に付された番号は、対応するＵＬサブフレームからのサブフレーム数を示している。
【００２３】
既存システムでは、ＣＡを適用する場合もＡ／Ｎフィードバックタイミング（ＤＬ  ＨＡＲＱタイミング）は同じとなる。但し、ＵＬでＣＡを適用する場合であっても、ＰＵＣＣＨを用いたＡ／Ｎ送信は特定セル（ＰＣｅｌｌ）でのみ行うことが規定されている。
【００２４】
本発明者等は、複数ＣＣ間で異なるＤｕｐｌｅｘ−ｍｏｄｅを適用するＣＡ（ＴＤＤ−ＦＤＤ  ＣＡ）において、Ａ／Ｎフィードバック等をＰＣｅｌｌのＰＵＣＣＨのみ用いて行うと、フィードバックに利用するＵＬサブフレームが制限される場合があることを見出した。例えば、ＴＤＤセルがＰＣｅｌｌ、ＦＤＤセルがＳＣｅｌｌとなる場合、送達確認信号等のＵＬ伝送を適切に行えなくなるおそれがある。
【００２５】
図４Ａは、ＴＤＤセルがＰＣｅｌｌ、ＦＤＤセルがＳＣｅｌｌとなる場合に、ＳＣｅｌｌ（ＦＤＤセル）のＤＬ  ＨＡＲＱタイミングを上記ＦＤＤセルのタイミング（図３Ａ）に合わせたフィードバック方法を示している。この場合、ＳＣｅｌｌ（ＦＤＤセル）の多くのＤＬサブフレームに対して、Ａ／Ｎフィードバック用のＵＬサブフレームを割当てることができなくなる。つまり、各ＤＬサブフレームで送信されるＰＤＳＣＨ信号のＡ／Ｎをフィードバックすることができない。さらに、ＳＣｅｌｌ（ＦＤＤセル）のＵＬサブフレームのリソースが空いているにも関わらずＰＵＣＣＨに利用することが出来ない。
【００２６】
図４Ｂは、ＴＤＤセルがＰＣｅｌｌ、ＦＤＤセルがＳＣｅｌｌとなる場合に、ＳＣｅｌｌ（ＦＤＤセル）のＤＬ  ＨＡＲＱタイミングを上記ＴＤＤセルのタイミング（図３Ｂ）に合わせたフィードバック方法を示している。この場合、図４Ａと比較してＰＣｅｌｌ（ＴＤＤセル）のＵＬサブフレームでＡ／Ｎフィードバック用のＵＬサブフレームを割当てることができるＳＣｅｌｌ（ＦＤＤセル）のＤＬサブフレーム数は増加する。しかし、ＦＤＤセルのフィードバックタイミング（例えば、４ｍｓ）が変更されるため、従来と比較して複雑な制御が必要となるおそれがある。また、ＳＣｅｌｌ（ＦＤＤセル）のＵＬサブフレームのリソースが空いている場合であってもＰＵＣＣＨに利用することが出来ない。
【００２７】
そこで、本発明者等は、ＴＤＤ−ＦＤＤ  ＣＡを適用する際（特に、ＴＤＤセルがＰＣｅｌｌ、ＦＤＤセルがＳＣｅｌｌとなる場合）に、ＳＣｅｌｌのＵＬおいてＰＵＣＣＨを用いたＵＬ送信（ＰＵＣＣＨ送信）をサポートすることにより、ＰＣｅｌｌ及びＳＣｅｌｌの各ＤＬサブフレームに対してＵＬサブフレームを適切に割当てることができることを見出した。
【００２８】
具体的には、Ｉｎｔｒａ−ｅＮＢ  ＣＡにおいて、ＦＤＤセルとＴＤＤセルのいずれがＰＣｅｌｌであるかに関わらず、ＦＤＤセルの一方のみにＵＬサブフレームが設定される場合には、当該ＦＤＤセルのＵＬサブフレームを利用して送達確認信号等のフィードバック（ＰＵＣＣＨ送信）を行う。また、ＦＤＤセルとＴＤＤセルの両方でＵＬサブフレームが設定される場合（ＴＤＤセルのＵＬサブフレーム設定時）に、ＴＤＤセルとＦＤＤセルのいずれか一方又は両方のＵＬサブフレームを利用して送達確認信号のフィードバックを行うことを着想した（図５参照）。
【００２９】
つまり、Ｉｎｔｒａ−ｅＮＢ  ＣＡにおいて、ＦＤＤセルとＴＤＤセルの両方でＵＬが設定されるサブフレーム以外のサブフレームでは、ＦＤＤセルのＵＬサブフレームを用いてＡ／Ｎに関するＰＵＣＣＨ送信を行う。より具体的には、ＦＤＤセルのＤＬサブフレームの中で、ＴＤＤセルのＵＬサブフレームから４サブフレーム前のＤＬサブフレーム以外のＤＬサブフレームに対するＡ／ＮをＦＤＤセルのＵＬサブフレームを利用してフィードバックする。これにより、ＦＤＤセルとＴＤＤセルのいずれがＰＣｅｌｌであるかに関わらず、ＦＤＤのＵＬサブフレームのリソースを有効に活用する。また、ＦＤＤセルとＴＤＤセルの両方でＵＬが設定されるサブフレームで、Ａ／Ｎのフィードバック方法（フィードバック先等）を制御する。
【００３０】
ＦＤＤセルとＴＤＤセルの両方でＵＬが設定されるサブフレームにおいて、ＰＵＣＣＨ送信を行うセル（ＦＤＤセル及び／又はＴＤＤセル）の選択は、基地局が設定してユーザ端末に通知する構成とすることができる。
【００３１】
例えば、Ｉｎｔｒａ−ｅＮＢ  ＣＡにおいて、ＦＤＤセルとＴＤＤセルの両方でＵＬが設定されるサブフレーム（ＴＤＤのＵＬサブフレーム）で、各セルのＰＵＣＣＨを用いてそれぞれのＡ／Ｎをフィードバックする。この場合、Ｉｎｔｅｒ−ｅＮＢ  ＣＡと同じフィードバックタイミングとすることができるため、ユーザ端末は、１つの機能でＩｎｔｒａ−ｅＮＢ  ＣＡとＩｎｔｅｒ−ｅＮＢ  ＣＡの両方をサポートすることができる（図６Ａ、６Ｂ参照）。これにより、無線（ＲＦ）回路やベースバンド回路を複雑化することなく、安価に端末を供給できるようになる。
【００３２】
あるいは、Ｉｎｔｒａ−ｅＮＢ  ＣＡにおいて、ＦＤＤセルとＴＤＤセルの両方でＵＬが設定されるサブフレームで、１ＣＣのＰＵＣＣＨに各ＣＣのＡ／Ｎを集約して多重し、フィードバックする。１ＣＣを用いて各ＣＣのＡ／Ｎをフィードバックすることによりマルチキャリア送信とするのを回避できるので、帯域外輻射やピーク送信電力の増加を抑制し、より大きな電力で送信することができる。また、カバレッジを確保することも可能となる。
【００３３】
但し、１ＣＣのＰＵＣＣＨに各ＣＣのＡ／Ｎを集約して多重する場合、ＴＤＤセルとＦＤＤセルのいずれを選択するかが問題となる。以下に、１ＣＣのＰＵＣＣＨに各ＣＣのＡ／Ｎを集約して多重する場合のセル（ＣＣ）の選択方法について、図面を参照して詳細に説明する。なお、以下の説明では、ＴＤＤセルにおいてＤＬ／ＵＬ構成２を用いる場合を例に挙げて説明するが、本実施の形態で適用可能なＤＬ／ＵＬ構成はこれに限られない。
【００３４】
（第１の態様）
第１の態様では、ＦＤＤセルとＴＤＤセルの両方でＵＬが設定されるサブフレーム（ＴＤＤのＵＬサブフレーム設定時）において、１ＣＣのＰＵＣＣＨに複数ＣＣのＡ／Ｎを多重してフィードバックする方法について説明する。
【００３５】
（態様１）
態様１では、１ＣＣでＡ／Ｎを送信する場合、ＰＵＣＣＨ送信をＦＤＤセルに限定して行う（図７参照）。つまり、ＦＤＤセルがＳＣｅｌｌであっても、ＰＣｅｌｌの場合と同様にＦＤＤセルのＰＵＣＣＨを用いてＡＣＫ／ＮＡＣＫのフィードバックを行う。なお、図７では、ＦＤＤセルにおいて、ＦＤＤセルとＴＤＤセルの両方でＵＬが設定されるサブフレームに対するＤＬサブフレームの割当てしか示していないが、他のＤＬサブフレームも上記図５で示したようにＵＬサブフレームに割当てられている。これは、以下の図８、９、１１、１２でも同様である。
【００３６】
この場合、ＦＤＤセルとＴＤＤセルの両方でＵＬが設定されるサブフレームにおいても、ＦＤＤセルのＰＵＣＣＨに、ＦＤＤセルとＴＤＤセルのＡ／Ｎを多重する。その他のサブフレームでは、ＦＤＤセルのＰＵＣＣＨにＦＤＤセルのＡ／Ｎを多重して送信する。
【００３７】
図７に示すようにフィードバック方法を制御することにより、ＵＬサブフレームが限定されるＴＤＤと異なり、毎サブフレームＵＬが設定されるＦＤＤセルにＰＵＣＣＨを集約できるため、ＵＬリソースの空きを無くし、有効に利用することができる。また、ＴＤＤセルよりＦＤＤセルを低い周波数で用いる場合、ＦＤＤセルのＵＬにＰＵＣＣＨを集約して多重することにより、ＵＬのカバレッジを効果的に確保することができる。
【００３８】
（態様２）
態様２では、１ＣＣでＡ／Ｎを送信する場合、ＰＵＣＣＨをＦＤＤセルとＴＤＤセルとを用いて送信する（図８参照）。具体的には、ＦＤＤセルとＴＤＤセルの両方でＵＬが設定されるサブフレームでは、ＴＤＤセルのＵＬでＰＵＣＣＨ送信を行う。また、その他のサブフレームではＦＤＤセルのＵＬでＰＵＣＣＨ送信を行う。この場合、ＴＤＤセルとＦＤＤセルのＰＵＣＣＨ送信は異なるサブフレームでそれぞれ行い、ＦＤＤセルとＴＤＤセルで同時にＰＵＣＣＨ送信は行わない。
【００３９】
図８に示すように、ＦＤＤセルとＴＤＤセルのＵＬのＰＵＣＣＨを利用して送達確認信号の送信を行うことにより、各セルに対するＰＵＣＣＨ送信を分散することができる。
【００４０】
なお、上記態様１は、特にＦＤＤセルがＰＣｅｌｌ（ＴＤＤセルがＳＣｅｌｌ）の時に適用することが好ましい。一方、態様２は、特にＴＤＤセルがＰＣｅｌｌ（ＦＤＤセルがＳＣｅｌｌ）の時に適用することが好ましい。つまり、ＴＤＤセルがＰＣｅｌｌの場合のみ、ＳＣｅｌｌでのＰＵＣＣＨ送信を適用する。
【００４１】
これにより、ＦＤＤセルがＰＣｅｌｌの場合に不要なＳＣｅｌｌでのＰＵＣＣＨ送信を抑制すると共に、ＴＤＤセルがＰＣｅｌｌの場合にはＦＤＤセルへＰＵＣＣＨ送信を分散（ＰＵＣＣＨオフローディング）することができる。また、ＴＤＤセルとＦＤＤセルのいずれがＰＣｅｌｌであっても、ＰＣｅｌｌのＤＬ割当てに対するＰＵＣＣＨ送信はすべてＰＣｅｌｌで行うため、Ｆａｌｌｂａｃｋが容易となる。
【００４２】
また、ＴＤＤ−ＦＤＤ  ＣＡにおいて、ＦＤＤセルとＴＤＤセルのエリアサイズや収容ユーザ数、トラフィックが同等でない場合、例えば１つのマクロセルに対し多数のスモールセルが重畳しており、マクロセルがカバレッジをサポートする一方で、マクロセル中に多数設置されたスモールセルがそれぞれ比較的小さなエリア・少ないユーザに大容量通信を提供するような場合、が想定される。このような環境において、上記態様１は、特にＴＤＤセルがＰＣｅｌｌ（ＦＤＤセルがＳＣｅｌｌ）の時に適用することが好ましい。一方、態様２は、ＦＤＤセルおよびＴＤＤセルいずれがＰＣｅｌｌの時にも適用することができる。つまり、できる限りＳＣｅｌｌでのＰＵＣＣＨ送信を行う場合に態様２を適用することが好ましい。
【００４３】
上記のような環境では、マクロセルをＰＣｅｌｌ、スモールセルをＳＣｅｌｌとして、ＳＣｅｌｌで追加的に大容量通信を提供するのが一般的に想定される。この場合マクロセル（ＰＣｅｌｌ）は多数のユーザと通信する都合上、ＵＬリソースは混雑しやすくなる。したがって、できる限りユーザが少ないスモールセル（ＳＣｅｌｌ）でＰＵＣＣＨ送信を行うようにすることで、ＰＵＣＣＨを多数のスモールセルに分散し、マクロセルのＵＬリソースが混雑するのを避けることができる。
【００４４】
（態様３）
態様３では、１ＣＣでＡ／Ｎを送信する場合、ＦＤＤセルとＴＤＤセルの両方でＵＬが設定されるサブフレームにおいて、所定条件に基づいてＦＤＤセル又はＴＤＤセルの一方のＵＬを選択して、ＰＵＣＣＨ送信を行う。所定条件としては、ＦＤＤセルとＴＤＤセルの両方でＵＬサブフレームとなるタイミングにおいて、各セルのＡ／Ｎの送信有無とすることができる。
【００４５】
例えば、ＦＤＤセルとＴＤＤセルの両方でＵＬとなるサブフレームにおいて、ＦＤＤセルのＤＬ信号（ＰＤＳＣＨ信号）に対するＡ／Ｎの送信がある場合にはＦＤＤセルのＵＬにＰＵＣＣＨを割当てて送信し、Ａ／Ｎの送信がない場合にはＴＤＤセルのＵＬにＰＵＣＣＨを割当てて送信する（図９参照）。これにより、スケジューラがＰＵＣＣＨ送信を行うセルを制御でき、ダイナミック（動的）なＰＵＣＣＨオフローディングが可能となる。また、ＤＬのスケジューリングが多いセルにＰＵＣＣＨ送信を集約できるため、ＤＬ／ＵＬトラフィックを均質化することができる。
【００４６】
例えばマクロセルとスモールセルでＴＤＤ−ＦＤＤによるＩｎｔｒａ−ｅＮＢ  ＣＡするケースでは、ＤＬトラフィックはチャネル品質が良く、比較的他ユーザのトラフィックが小さい可能性が高いスモールセルに偏る可能性が高い。このような場合にスモールセルに偏ったＤＬトラフィックにあわせてＰＵＣＣＨをスモールセルに偏らせることができる。したがって、マクロセルと多数のスモールセルが重畳する環境で、ＤＬ／ＵＬ双方で高いオフロード効果を得ることができる。さらに、ＦＤＤセルとＴＤＤセル両方のＤＬ割当てに対するＡ／Ｎ送信がある場合にはＦＤＤセルのＵＬにＰＵＣＣＨを割り当ててＡ／Ｎを送信するため、ＴＤＤのＵＬでトラフィックが多い場合に、空いているＦＤＤのＵＬを利用することができる。
【００４７】
あるいは、ＦＤＤセルとＴＤＤセルの両方でＵＬとなるサブフレームにおいて、ＴＤＤセルのＤＬ信号に対するＡ／Ｎの送信がある場合にはＴＤＤセルのＵＬにＰＵＣＣＨを割当てて送信し、Ａ／Ｎの送信がない場合にはＦＤＤセルのＵＬにＰＵＣＣＨを割当てて送信してもよい。この場合、ＦＤＤセルとＴＤＤセル両方のＤＬ割り当てに対するＡ／Ｎ送信がある場合には、ＴＤＤセルのＵＬにＰＵＣＣＨを割り当てて送信する。これにより、スケジューラがＰＵＣＣＨ送信を行うセルを制御でき、ダイナミック（動的）なＰＵＣＣＨオフローディングが可能となる。
【００４８】
例えばマクロセルとスモールセルでＴＤＤ−ＦＤＤによるＩｎｔｒａ−ｅＮＢ  ＣＡするケースでは、ＤＬトラフィックはチャネル品質が良く、比較的他ユーザのトラフィックが小さい可能性が高いスモールセルに偏る可能性が高い。このような場合にスモールセルに偏ったＤＬトラフィックにあわせてＰＵＣＣＨをスモールセルに偏らせることができる。したがって、マクロセルと多数のスモールセルが重畳する環境で、ＤＬ／ＵＬ双方で高いオフロード効果を得ることができる。さらに、ＦＤＤセルとＴＤＤセル両方のＤＬ割り当てに対するＡ／Ｎ送信がある場合にはＴＤＤセルのＵＬにＰＵＣＣＨを割り当ててＡ／Ｎを送信するため、ＴＤＤセルがスモールセルとなる環境で、ユーザ数が少なくトラフィックが比較的小さいスモールセルにＰＵＣＣＨをオフロードすることができる。
【００４９】
＜基地局−ＵＥ間通知方法＞
なお、ＦＤＤセルとＴＤＤセルの両方でＵＬとなるタイミングにおいて、いずれのセルのＵＬでＰＵＣＣＨ送信を行うかについて、基地局は下り制御情報（ＤＣＩ）や上位レイヤシグナリング（例えば、ＲＲＣシグナリング）等を用いてユーザ端末に通知することができる。例えば、基地局は、既存のＤＣＩ中の未使用、又はＰＵＣＣＨリソース関連のビットを利用してユーザ端末にセルに関する情報を通知することができる。以下に、基地局からユーザ端末に対する通知方法について説明する。
【００５０】
基地局は、ＳＣｅｌｌのＤＣＩに含まれるＴＰＣコマンド領域（ＡＲＩとも呼ばれる）を利用して、ＰＵＣＣＨ送信を行うセルを指定することができる。ＡＲＩは、Ｒｅｌ．１０で導入されたＡＣＫ／ＮＡＣＫリソース識別子（A/N  Resource  Indicator）であり、ＣＡ適用時にＳＣｅｌｌで送信されたＰＤＳＣＨのＡ／Ｎフィードバックに利用するＰＣｅｌｌのＰＵＣＣＨリソースを指定するために利用される。具体的には、あらかじめＲＲＣ等上位レイヤによりＰＵＣＣＨリソース候補を複数通知しておき、その中からいずれか１つをＡＲＩにより指定する。
【００５１】
Ｒｅｌ．１０で導入されたＡＲＩは、ＰＣｅｌｌ内のＰＵＣＣＨリソースしか指定できない。そこで、本実施の形態では、ＡＲＩを用いてＰＣｅｌｌとＳＣｅｌｌにわたって複数のＰＵＣＣＨリソース候補を設定できる構成とする。ユーザ端末は、基地局から通知されたＡＲＩを用いてＰＵＣＣＨ送信を行うＣＣとＰＵＣＣＨリソースを選択する。
【００５２】
このように、ＦＤＤセルとＴＤＤセルの両方でＵＬとなるタイミングにおいて、ＡＲＩを利用してフィードバック先のセル（Ａ／Ｎを集約するセル）を選択することにより、ダイナミックかつ柔軟にＰＵＣＣＨ送信を制御することができる。これにより、ＰＵＣＣＨ送信を各セル（例えば、ＴＤＤセル）へ分散することができ、オフローディング効果を得ることができる。また、ＰＵＣＣＨ信号の送信電力制御（ＴＰＣ）は、ＰＣｅｌｌのＤＣＩに含まれるＴＰＣコマンドを用いて行い、ＳＣｅｌｌのＴＰＣコマンドを用いてＰＵＣＣＨ送信を行うＣＣとリソースを選択することにより、オーバーヘッドの増加を抑制することができる。
【００５３】
また、基地局は、拡張ＰＤＣＣＨ（ＥＰＤＣＣＨ）で送信されるＤＣＩに含まれ、かつＰＵＣＣＨリソース番号（ＥＣＣＥ番号）にオフセットを付与するビット領域（ＡＲＯとも呼ばれる）を利用して、ＰＵＣＣＨ送信を行うセルを指定することができる。ＡＲＯは、Ｒｅｌ．１１で導入され、ＥＰＤＣＣＨにより復調されるＰＤＳＣＨのＡ／Ｎフィードバックに利用されるＰＵＣＣＨリソースを決定する際に、拡張制御チャネル要素番号（ＥＣＣＥ番号）に加えるオフセット値を指定するものである。拡張ＰＤＣＣＨ（ＥＰＤＣＣＨ）とは、ＰＤＳＣＨ（下り共有データチャネル）と周波数分割多重されて割当てられる下り制御チャネルである。
【００５４】
Ｒｅｌ．１１で導入されたＡＲＯは、ＣＡの適用が考慮されておらず（Ｎｏｎ−ＣＡ）、ＣＡを適用する際には未使用（ゼロ固定）とすることが規定されている。そこで、本実施の形態では、ＡＲＯを用いてＰＵＣＣＨ送信を行うセル（ＰＣｅｌｌ又はＳＣｅｌｌ）を指定する。ユーザ端末は、通知されたＡＲＯに基づいてＰＵＣＣＨ送信を行うＣＣを選択する。
【００５５】
このように、ＦＤＤセルとＴＤＤセルの両方でＵＬとなるタイミングにおいて、ＡＲＯを利用してフィードバック先のセル（Ａ／Ｎを集約するセル）を選択することにより、ダイナミックかつ柔軟にＰＵＣＣＨ送信を制御することができる。これにより、ＰＵＣＣＨ送信を各セルへ分散することができ、オフローディング効果を得ることができる。
【００５６】
また、ＥＰＤＣＣＨでＤＣＩを送信する場合、基地局は、上述したＳＣｅｌｌのＡＲＩと、ＡＲＯとを組み合わせて適用して、フィードバック先のセル及びＰＵＣＣＨリソースをユーザ端末に通知することができる。例えば、基地局は、ＡＲＯによりＰＵＣＣＨ送信を行うＣＣを指定し、ＡＲＩにより当該ＣＣにおけるＰＵＣＣＨリソースを指定してユーザ端末に通知する。この際、指定するＣＣ毎に異なるＰＵＣＣＨリソース候補セットを設定してもよい。このように、ＡＲＩとＡＲＯを利用することにより、未使用ビットを有効に利用すると共に、柔軟にＰＵＣＣＨ送信制御とオフローディングを行うことが可能となる。
【００５７】
また、基地局は、下り制御情報（ＤＣＩ）を送信する制御チャネル（ＰＤＣＣＨ／ＥＰＤＣＣＨ）のリソースや構成（Ｃｏｎｆｉｇ）を用いることにより、ＦＤＤセルとＴＤＤセルの両方でＵＬとなるタイミングにおいてＰＵＣＣＨ送信を行うセルに関する情報を、ユーザ端末に指示してもよい。
【００５８】
例えば、基地局は、サーチスペースの種類（Ｃｏｍｍｏｎ−ＳＳ又はＵＥ−ｓｐｅｃｉｆｉｃ−ＳＳ）に各セルを対応付けてユーザ端末に指示することができる。一例として、共通サーチスペース（Ｃ−ＳＳ）の場合はＰＣｅｌｌ、ユーザ固有サーチスペース（ＵＥ−ＳＳ）の場合はＳＣｅｌｌでＰＵＣＣＨ送信を行う。
【００５９】
あるいは、基地局は、制御チャネルの種類（ＰＤＣＣＨ又はＥＰＤＣＣＨ）に各セルを対応付けてユーザ端末に指示することができる。一例として、ＰＤＣＣＨの場合はＰＣｅｌｌ、ＥＰＤＣＣＨの場合はＳＣｅｌｌでＰＵＣＣＨ送信を行う。
【００６０】
あるいは、基地局は、下り制御情報（ＤＣＩ）がスケジューリングされたＰＤＣＣＨ／ＥＰＤＣＣＨの場所（ＣＣＥ番号）に各セルを対応付けてユーザ端末に指示することができる。一例として、ＤＣＩがＰＤＣＣＨ／ＥＰＤＣＣＨのＣＣＥ／ＥＣＣＥ番号０〜３０にマッピングされている場合はＰＣｅｌｌ、それ以外はＳＣｅｌｌでＰＵＣＣＨ信号の送信を行う。
【００６１】
このように、サーチスペースの種類、制御チャネルの種類、ＰＤＣＣＨ／ＥＰＤＣＣＨの場所等にセル情報を対応づけることにより、ＤＣＩのスケジューリングでＰＵＣＣＨ送信を行うＣＣを指示することができる。これにより、オーバーヘッドの増加を抑制することができる。また、ＳＣｅｌｌでＰＵＣＣＨを送信するケースを、例えばＵＥ−ＳＳやＥＰＤＣＣＨなど限定し、それ以外の、例えばＣ−ＳＳやＰＤＣＣＨではＰＣｅｌｌでＰＵＣＣＨを送信するように規定してもよい。これにより、ＵＥ−ｓｐｅｃｉｆｉｃなＲＲＣパラメータのＲｅ−ｃｏｎｆｉｇｕｒａｔｉｏｎを行っている際中でも、Ｃ−ＳＳやＰＤＣＣＨを用いることで通信を途切れることなく続ける（Ｆａｌｌｂａｃｋする）ことが可能となる。
【００６２】
＜ＰＵＳＣＨ送信時＞
本実施の形態において、Ａ／Ｎ送信タイミング（サブフレーム）においてＰＵＳＣＨ信号を送信する場合、ユーザ端末は、ＰＵＣＣＨとＰＵＳＣＨの同時送信を行うか、あるいはＰＵＳＣＨにＡ／Ｎを多重して送信することができる。
【００６３】
ＰＵＣＣＨとＰＵＳＣＨの同時送信を行う場合、ＰＵＳＣＨの割当てに関わらず、ユーザ端末は、Ａ／Ｎを送信する予定のＣＣのＰＵＣＣＨを用いて、Ａ／Ｎ送信（ＰＵＣＣＨ送信）を行う。つまり、ユーザ端末は、ＰＵＳＣＨとＰＵＣＣＨを用いてＵＬデータ信号とＡ／Ｎの同時送信を行う。
【００６４】
一方で、ＰＵＳＣＨとＰＵＣＣＨの同時送信を行わない場合、ユーザ端末は、Ａ／Ｎを送信する予定であるＣＣに関わらず、Ａ／ＮをＰＵＳＣＨに多重して送信する。なお、複数ＣＣ（ＰＣｅｌｌとＳＣｅｌｌ）でＰＵＳＣＨ送信を行う場合、ＰＣｅｌｌのＰＵＳＣＨにＡ／Ｎを多重して送信を行う。また、ＰＣｅｌｌでＰＵＳＣＨ送信を行わず、複数のＳＣｅｌｌでＰＵＳＣＨ送信を行う場合には、ＳＣｅｌｌインデックスが小さいセルにＡ／Ｎを多重して送信を行うことができる。
【００６５】
（第２の態様）
上記第１の態様では、上りリンクのＣＡが適用可能なユーザ端末（ＵＬ  ＣＡ  ｃａｐａｂｌｅ  ＵＥ）はＦＤＤ−ＴＤＤ  ＣＡを実現することが出来る。一方で、ＵＬ  ＣＡをサポートしていないユーザ端末はＦＤＤ−ＴＤＤ  ＣＡを実現できないおそれがある。例えば、低コストのユーザ端末等は、ＤＬ  ＣＡはサポートしているが、ＵＬ  ＣＡをサポートしていない場合も考えられる。また、各ＣＣが適用する周波数バンドの組み合わせによっては、ユーザ端末がＵＬ  ＣＡを行えない可能性も考えられる。
【００６６】
ＵＬ  ＣＡをサポートしていないユーザ端末（ＵＬ  ＣＡ  ｎｏｎ−ｃａｐａｂｌｅ  ＵＥ）は、ＵＬに対して１つのＲＦしか有していない。そのため、例えば、上記図８のようにサブフレーム毎にＵＬ周波数を切り替えることは困難となる。一方で、より多くのユーザ端末が、より多くの環境下でＴＤＤ−ＦＤＤ  ＣＡを実現するためには、ＵＬ  ＣＡをサポートしていないユーザ端末であっても、上述したＴＤＤ−ＦＤＤ  ＣＡを適用可能なシステムとすることが好ましい。
【００６７】
このような問題を解決するために、ＵＬ  ＣＡをサポートしていないユーザ端末がＴＤＤ−ＦＤＤ  ＣＡを行う場合、又はＴＤＤセルとＦＤＤセルの両方のＵＬでＰＵＣＣＨ送信を行う場合に、ＴＤＤセルのＵＬサブフレーム前後にＵＬ送信を行わない期間（ＲＦ  ｔｕｎｉｎｇ  ｐｅｒｉｏｄ）を設けることが考えられる（図１０参照）。例えば、ＴＤＤのＵＬサブフレームの前後１ｍｓ程度をＲＦ調整期間（ＲＦ  ｔｕｎｉｎｇ  ｐｅｒｉｏｄ）とする。
【００６８】
しかし、図１０に示す方法では、ＲＦ  ｔｕｎｉｎｇ（ＲＦ調整）中は、ＵＬ送信を行うことができないため、ＵＬ送信のスループットが低下するおそれがある。また、ＵＬ送信が行えない期間は、Ａ／Ｎフィードバックも行うことができないため、ＤＬ信号（ＰＤＳＣＨ信号）の割当ても制限される。これにより、ＤＬ送信のスループットも低下するおそれがある。
【００６９】
そこで、第２の態様では、ＦＤＤセルとＴＤＤセルの両方でＵＬとなるタイミング（ＴＤＤセルのＵＬサブフレーム）において、ＦＤＤセル又はＴＤＤセルのＡ／Ｎの送信有無に応じて、ＰＵＣＣＨ送信を行うセルを制御する。つまり、Ａ／Ｎの送信を考慮して、ＴＤＤセルにおけるＰＵＣＣＨ送信を選択してＲＦ調整期間を設定する。これにより、ＵＬ  ＣＡをサポートしていないユーザ端末がＦＤＤセルとＴＤＤセルのＵＬでＰＵＣＣＨ送信を切り替える場合であっても、スループットの低下を低減することができる。
【００７０】
例えば、ＦＤＤセルとＴＤＤセルの両方でＵＬとなるタイミングにおいて、ユーザ端末は、ＦＤＤセルのＡ／Ｎ送信がない場合に限り、ＴＤＤセルのＵＬでＰＵＣＣＨ送信を行う。それ以外は、ＦＤＤセルのＵＬでＰＵＣＣＨ送信を行う（図１１参照）。つまり、ＦＤＤセルとＴＤＤセルの両方にＡ／Ｎ送信がある場合には、ＦＤＤのＵＬに集約してＰＵＣＣＨ送信を行う。これにより、ＴＤＤセルでＰＵＣＣＨ送信を行う場合であっても、ＲＦ調整期間の影響を低減することができる。一方で、ＴＤＤセルのみでＰＵＣＣＨ送信が多く発生する場合には、ＲＦ調整が頻発するものの、ＰＵＣＣＨをＴＤＤセルに偏らせることができる。したがって、ＤＬトラフィックの偏りに応じてＵＬトラフィックをも同じように偏らせることが可能である。
【００７１】
あるいは、ＦＤＤセルとＴＤＤセルの両方でＵＬとなるタイミングにおいて、ＴＤＤセルのＡ／Ｎ送信がある場合に、ＴＤＤセルのＵＬでＰＵＣＣＨ送信を行う。この場合、ＦＤＤセルとＴＤＤセルの両方にＡ／Ｎ送信がある場合には、ＴＤＤのＵＬに集約してＰＵＣＣＨ送信を行う。
【００７２】
このように、ＦＤＤセル又はＴＤＤセルのＡ／Ｎの送信有無に応じてトラフィック（ＰＵＣＣＨ送信）を比較的ＴＤＤに偏らせることができる。したがって、例えばＦＤＤセルがマクロセル、ＴＤＤセルがスモールセルのような場合に、ＵＬリソースが比較的空きやすいＴＤＤスモールセルにＰＵＣＣＨをより多く配分することができる。また、ＦＤＤセルだけでなくＴＤＤセルを利用してＰＤＣＣＨ送信を行うことにより、トラフィックを分散してオフローディング効果を得ることができる。
【００７３】
ＦＤＤセルとＴＤＤセルの両方でＵＬとなるタイミングにおけるＲＦ調整（ＲＦ  ｔｕｎｉｎｇ）の適用有無について、基地局は下り制御情報（ＤＣＩ）や上位レイヤシグナリング等を用いてユーザ端末に指示することができる。この場合、基地局は、既存のＤＣＩ中の未使用、又はＰＵＣＣＨリソース関連のビットを利用して指示することが好ましい。以下に、基地局からユーザ端末に対する通知方法について説明する。なお、上述した基地局−ＵＥ間通知方法と同様の部分については説明を省略する。
【００７４】
例えば、基地局は、ＳＣｅｌｌのＤＣＩに含まれるＴＰＣコマンド領域（ＡＲＩ）を利用して、ＲＦ調整の適用有無を指示することができる。また、基地局は、ＥＰＤＣＣＨで送信されるＤＣＩに含まれかつＰＵＣＣＨリソース番号にオフセットを付与するビット領域（ＡＲＯ）を利用して、ＲＦ調整の適用有無を指定することができる。
【００７５】
一例として、ユーザ端末は、ＡＲＩ又はＡＲＯでＴＤＤセルのＵＬにおけるＰＵＣＣＨ送信が指示された場合に、ＲＦ調整を行う。これにより、ダイナミックかつ柔軟にＰＵＣＣＨ送信を制御すると共に、ＰＵＣＣＨ送信を各セルへ分散してオフローディング効果を得ることができる。また、ユーザ端末は、ＡＲＩ又はＡＲＯの指示がない場合にはＲＦ調整を行わないため、ＵＬにおいて不要な無送信期間が生じることを抑制することができる。
【００７６】
また、ＥＰＤＣＣＨでＤＣＩを送信する場合、基地局は、ＳＣｅｌｌのＡＲＩと、ＡＲＯとを組み合わせて適用して、ＲＦ調整の適用有無及びＰＵＣＣＨリソースをユーザ端末に通知することができる。例えば、基地局は、ＡＲＯによりＲＦ調整の適用有無を指定し、ＡＲＩにより当該ＣＣにおけるＰＵＣＣＨリソースを指定してユーザ端末に通知する。このように、ＳＣｅｌｌのＡＲＩとＡＲＯを利用することにより、未使用ビットを有効に利用すると共に、柔軟にＰＵＣＣＨ送信を制御してオフローディングを行うことができる。また、ユーザ端末は、ＡＲＯの指示がない場合にはＲＦ調整を行わないため、ＵＬにおいて不要な無送信期間が生じることを抑制することができる。
【００７７】
また、基地局は、ＲＦ調整の適用有無について、下り制御情報（ＤＣＩ）を送信する制御チャネル（ＰＤＣＣＨ／ＥＰＤＣＣＨ）のリソースや構成（Ｃｏｎｆｉｇ）を用いてユーザ端末に指示してもよい。
【００７８】
例えば、基地局は、サーチスペースの種類（Ｃｏｍｍｏｎ−ＳＳ又はＵＥ−ｓｐｅｃｉｆｉｃ−ＳＳ）に各セルを対応付けてユーザ端末に指示することができる。一例として、共通サーチスペース（Ｃ−ＳＳ）の場合はＰＣｅｌｌ、ユーザ固有サーチスペース（ＵＥ−ＳＳ）の場合はＳＣｅｌｌでＰＵＣＣＨ送信を行う。これにより、サーチスペースの種類が切り替わらない限りＲＦ調整は行われない、ＵＬにおいて不要な無送信期間が生じることを抑制することができる。また、サーチスペースの種類を切り替えることにより、ＲＦ調整を制御すると共に、ＰＵＣＣＨ送信を行うＣＣを切り替えてオフローディングすることができる。
【００７９】
あるいは、基地局は、制御チャネルの種類（ＰＤＣＣＨ又はＥＰＤＣＣＨ）に各セルを対応付けてユーザ端末に指示することができる。一例として、ＰＤＣＣＨの場合はＰＣｅｌｌ、ＥＰＤＣＣＨの場合はＳＣｅｌｌでＰＵＣＣＨ信号の送信を行う。これにより、制御チャネルの種類が切り替わらない限りＲＦ調整は行わないため、ＵＬにおいて不要なＵＬ無送信期間が生じることを抑制することができる。また、制御チャネルの種類を切り替えることにより、ＲＦ調整を制御すると共に、ＰＵＣＣＨ送信を行うＣＣを切り替えてオフローディングすることができる。
【００８０】
あるいは、基地局は、下り制御情報（ＤＣＩ）がスケジューリングされたＰＤＣＣＨ／ＥＰＤＣＣＨの場所（ＣＣＥ番号）に各セルを対応付けてユーザ端末に指示することができる。一例として、ＤＣＩがＰＤＣＣＨ／ＥＰＤＣＣＨのＣＣＥ／ＥＣＣＥ番号０〜３０にマッピングされている場合はＰＣｅｌｌ、それ以外はＳＣｅｌｌでＰＵＣＣＨ信号の送信を行う。これにより、スケジューラによりＲＦ調整を制御して不要なＵＬ無送信期間の発生を避けると共に、ＲＦ調整を行うこと（ＰＵＣＣＨ送信セルを切り替えること）によりＰＵＣＣＨのオフロードを制御することができる。
【００８１】
このように、サーチスペースの種類、制御チャネルの種類、ＰＤＣＣＨ／ＥＰＤＣＣＨの場所等にセル情報を対応づけることにより、ＤＣＩのスケジューリングでオーバーヘッドを増加させずにＰＵＣＣＨ信号を送信するＣＣを指示することができる。
【００８２】
（変形例）
なお、上記説明では、ＦＤＤセル、ＴＤＤセルのそれぞれのＤＬ信号（ＰＤＳＣＨ信号）の割当てに対するＨＡＲＱタイミングとして、ＣＡを適用しない場合のフィードバックタイミングを利用する場合を示したが、本実施の形態はこれに限られない。例えば、Ｉｎｔｒａ−ｅＮＢ  ＣＡにおいて、ＴＤＤセルにおけるＤＬ  ＨＡＲＱタイミングを、ＦＤＤのＤＬ  ＨＡＲＱタイミングと同じとしてもよい（図１２参照）。この場合、ＴＤＤセルの各ＤＬサブフレームで送信されるＰＤＳＣＨ信号に対するＡ／Ｎを、当該ＰＤＳＣＨ信号が送信されたサブフレームから所定期間（例えば、４ｍｓ）後のＦＤＤセルのＵＬサブフレームでフィードバックすることができる。これにより、ＴＤＤのＤＬ  ＨＡＲＱにおけるフィードバック遅延を４ｍｓに低減できる。また、１つのＵＬサブフレームでフィードバックする送達確認信号の数を減らし、複数のサブフレームに渡って分散することができるので、基地局による送達確認信号の検出ミスがあった場合にＤＬ  ＨＡＲＱに与える影響を低減できる。
【００８３】
一方で、図１２に示す場合、ＦＤＤセルとＴＤＤセルの両方でＵＬとなるタイミング（ＴＤＤセルのＵＬサブフレーム）において、いずれのＣＣにＡ／Ｎを多重してＰＵＣＣＨ送信を行うかが問題となる。この場合、上記第１の態様で示したいずれかの態様を用いて、ＰＵＣＣＨ送信を行うセルを選択することができる。例えば、図１２において、ＦＤＤセルとＴＤＤセルの両方でＵＬとなるサブフレームで、ＰＵＣＣＨ送信をプライマリセルの設定に関わらず一方のセル（ＦＤＤセル又はＴＤＤセル）に限定して行う場合、ＰＣｅｌｌ又はＳＣｅｌｌで行う場合、あるいは当該サブフレームでＡ／Ｎ送信を行うセルで行う場合等が挙げられる。
【００８４】
また、上記説明では、ＴＤＤ−ＦＤＤ  ＣＡについて説明したが、本実施の形態が適用可能な構成はこれに限られない。本実施の形態は、ＦＤＤ−ＦＤＤ  ＣＡやＴＤＤ−ＴＤＤ  ＣＡに適用することも可能である。
【００８５】
例えば、ＦＤＤ−ＦＤＤ又はＴＤＤ−ＴＤＤの基地局間ＣＡ（Ｉｎｔｅｒ−ｅＮＢ  ＣＡ）では、複数ＣＣ独立にＨＡＲＱを行う。この場合、複数ＣＣから同一サブフレームでそれぞれＡ／Ｎ（ＰＵＣＣＨ送信）を同時に送信することができる。一方で、ＦＤＤ−ＦＤＤ又はＴＤＤ−ＴＤＤの基地局内ＣＡ（Ｉｎｔｒａ−ｅＮＢ  ＣＡ）では、（１）Ｉｎｔｅｒ−ｅＮＢ  ＣＡと同様に複数ＣＣ独立にＨＡＲＱを行ってもよいし、（２）いずれかのＣＣに複数ＣＣ分のＡ／Ｎを多重して送信してもよい。後者（２）の場合には、いずれかのＣＣにＡ／Ｎが集約されるため、Ａ／Ｎの同時送信は生じない。
【００８６】
（無線通信システムの構成）
以下、本実施の形態に係る無線通信システムの一例について、詳細に説明する。
【００８７】
図１３は、本実施の形態に係る無線通信システムの概略構成図である。なお、図１３に示す無線通信システムは、例えば、ＬＴＥシステム或いは、ＳＵＰＥＲ  ３Ｇが包含されるシステムである。この無線通信システムでは、ＬＴＥシステムのシステム帯域幅を１単位とする複数の基本周波数ブロック（コンポーネントキャリア）を一体としたキャリアアグリゲーション（ＣＡ）が適用することができる。また、この無線通信システムは、ＩＭＴ−Ａｄｖａｎｃｅｄと呼ばれても良いし、４Ｇ、ＦＲＡ（Future  Radio  Access）と呼ばれても良い。
【００８８】
図１３に示す無線通信システム１は、マクロセルＣ１を形成する無線基地局１１と、マクロセルＣ１内に配置され、マクロセルＣ１よりも狭いスモールセルＣ２を形成する無線基地局１２ａ及び１２ｂとを備えている。また、マクロセルＣ１及び各スモールセルＣ２には、ユーザ端末２０が配置されている。ユーザ端末２０は、無線基地局１１及び無線基地局１２の双方への接続（dual  connectivity）が可能となっている。また、無線基地局１１と無線基地局１２間で基地局内ＣＡ（Ｉｎｔｒａ−ｅＮＢ  ＣＡ）、又は基地局間ＣＡ（Ｉｎｔｅｒ−ｅＮＢ  ＣＡ）が適用される。また、無線基地局１１と無線基地局１２の一方はＦＤＤを適用し、他方はＴＤＤを適用することができる。
【００８９】
ユーザ端末２０と無線基地局１１との間は、相対的に低い周波数帯域（例えば、２ＧＨｚ）で帯域幅が狭いキャリア（既存キャリア、Legacy  carrier等と呼ばれる）を用いて通信が行なわれる。一方、ユーザ端末２０と無線基地局１２との間は、相対的に高い周波数帯域（例えば、３．５ＧＨｚ等）で帯域幅が広いキャリアが用いられてもよいし、無線基地局１１との間と同じキャリアが用いられてもよい。ユーザ端末２０と無線基地局１２間のキャリアタイプとしてニューキャリアタイプ（ＮＣＴ）を利用してもよい。無線基地局１１と無線基地局１２（又は、無線基地局１２間）は、有線接続（Optical  fiber、Ｘ２インターフェース等）又は無線接続されている。
【００９０】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。また、各無線基地局１２は、無線基地局１１を介して上位局装置に接続されてもよい。
【００９１】
なお、無線基地局１１は、相対的に広いカバレッジを有する無線基地局であり、ｅＮｏｄｅＢ、マクロ基地局、送受信ポイントなどと呼ばれてもよい。また、無線基地局１２は、局所的なカバレッジを有する無線基地局であり、スモール基地局、ピコ基地局、フェムト基地局、Ｈｏｍｅ  ｅＮｏｄｅＢ、マイクロ基地局、送受信ポイントなどと呼ばれてもよい。以下、無線基地局１１及び１２を区別しない場合は、無線基地局１０と総称する。各ユーザ端末２０は、ＬＴＥ、ＬＴＥ−Ａなどの各種通信方式に対応した端末であり、移動通信端末だけでなく固定通信端末を含んでよい。
【００９２】
無線通信システムにおいては、無線アクセス方式として、下りリンクについてはＯＦＤＭＡ（直交周波数分割多元接続）が適用され、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。
【００９３】
ここで、図１３に示す無線通信システムで用いられる通信チャネルについて説明する。下りリンクの通信チャネルは、各ユーザ端末２０で共有されるＰＤＳＣＨ（Physical  Downlink  Shared  Channel）と、下りＬ１／Ｌ２制御チャネル（ＰＤＣＣＨ、ＰＣＦＩＣＨ、ＰＨＩＣＨ、拡張ＰＤＣＣＨ）とを有する。ＰＤＳＣＨにより、ユーザデータ及び上位制御情報が伝送される。ＰＤＣＣＨ（Physical  Downlink  Control  Channel）により、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid-ARQ  Indicator  Channel）により、ＰＵＳＣＨに対するＨＡＲＱのＡＣＫ／ＮＡＣＫが伝送される。また、拡張ＰＤＣＣＨ（ＥＰＤＣＣＨ）により、ＰＤＳＣＨ及びＰＵＳＣＨのスケジューリング情報等が伝送されてもよい。このＥＰＤＣＣＨは、ＰＤＳＣＨ（下り共有データチャネル）と周波数分割多重される。
【００９４】
上りリンクの通信チャネルは、各ユーザ端末２０で共有される上りデータチャネルとしてのＰＵＳＣＨ（Physical  Uplink  Shared  Channel）と、上りリンクの制御チャネルであるＰＵＣＣＨ（Physical  Uplink  Control  Channel）とを有する。このＰＵＳＣＨにより、ユーザデータや上位制御情報が伝送される。また、ＰＵＣＣＨにより、下りリンクの無線品質情報（ＣＱＩ：Channel  Quality  Indicator）、ＡＣＫ／ＮＡＣＫ等が伝送される。
【００９５】
図１４は、本実施の形態に係る無線基地局１０（無線基地局１１及び１２を含む）の全体構成図である。無線基地局１０は、ＭＩＭＯ伝送のための複数の送受信アンテナ１０１と、アンプ部１０２と、送受信部１０３と、ベースバンド信号処理部１０４と、呼処理部１０５と、伝送路インターフェース１０６とを備えている。
【００９６】
下りリンクにより無線基地局１０からユーザ端末２０に送信されるユーザデータは、上位局装置３０から伝送路インターフェース１０６を介してベースバンド信号処理部１０４に入力される。
【００９７】
ベースバンド信号処理部１０４では、ＰＤＣＰレイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（ＩＦＦＴ：Inverse  Fast  Fourier  Transform）処理、プリコーディング処理が行われて各送受信部１０３に転送される。また、下りリンクの制御チャネルの信号に関しても、チャネル符号化や逆高速フーリエ変換等の送信処理が行われて、各送受信部１０３に転送される。
【００９８】
また、ベースバンド信号処理部１０４は、上位レイヤシグナリング（ＲＲＣシグナリング、報知信号等）により、ユーザ端末２０に対して、当該セルにおける通信のための制御情報を通知する。当該セルにおける通信のための情報には、例えば、上りリンク又は下りリンクにおけるシステム帯域幅、フィードバック用のリソース情報等が含まれる。各送受信部１０３は、ベースバンド信号処理部１０４からアンテナ毎にプリコーディングして出力されたベースバンド信号を無線周波数帯に変換する。アンプ部１０２は、周波数変換された無線周波数信号を増幅して送受信アンテナ１０１により送信する。
【００９９】
一方、上りリンクによりユーザ端末２０から無線基地局１０に送信されるデータについては、各送受信アンテナ１０１で受信された無線周波数信号がそれぞれアンプ部１０２で増幅され、各送受信部１０３で周波数変換されてベースバンド信号に変換され、ベースバンド信号処理部１０４に入力される。
【０１００】
ベースバンド信号処理部１０４では、入力されたベースバンド信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、伝送路インターフェース１０６を介して上位局装置３０に転送される。呼処理部１０５は、通信チャネルの設定や解放等の呼処理や、無線基地局１０の状態管理や、無線リソースの管理を行う。
【０１０１】
図１５は、本実施の形態に係る無線基地局１０が有するベースバンド信号処理部１０４の主な機能構成図である。図１５に示すように、無線基地局１０が有するベースバンド信号処理部１０４は、制御部３０１と、下り制御信号生成部３０２と、下りデータ信号生成部３０３と、マッピング部３０４と、デマッピング部３０５と、チャネル推定部３０６と、上り制御信号復号部３０７と、上りデータ信号復号部３０８と、判定部３０９と、を少なくとも含んで構成されている。
【０１０２】
制御部３０１は、ＰＤＳＣＨで送信される下りユーザデータ、ＰＤＣＣＨ及び／又は拡張ＰＤＣＣＨ（ＥＰＤＣＣＨ）で伝送される下り制御情報、下り参照信号等のスケジューリングを制御する。また、制御部３０１は、ＰＵＳＣＨで伝送される上りデータ、ＰＵＣＣＨ又はＰＵＳＣＨで伝送される上り制御情報、上り参照信号のスケジューリングの制御（割当て制御）も行う。上りリンク信号（上り制御信号、上りユーザデータ）の割当て制御に関する情報は、下り制御信号（ＤＣＩ）を用いてユーザ端末に通知される。
【０１０３】
具体的に、制御部３０１は、上位局装置３０からの指示情報や各ユーザ端末２０からのフィードバック情報に基づいて、下りリンク信号及び上りリンク信号に対する無線リソースの割り当てを制御する。つまり、制御部３０１は、スケジューラとしての機能を有している。また、Ｉｎｔｅｒ−ｅＮＢ  ＣＡでは、制御部３０１は複数ＣＣ毎に独立に設けられており、Ｉｎｔｒａ−ｅＮＢ  ＣＡでは、制御部３０１は複数ＣＣに対して共通に設けた構成とすることができる。
【０１０４】
下り制御信号生成部３０２は、制御部３０１により割当てが決定された下り制御信号（ＰＤＣＣＨ信号及び／又はＥＰＤＣＣＨ信号）を生成する。具体的に、下り制御信号生成部３０２は、制御部３０１からの指示に基づいて、下りリンク信号の割当て情報を通知するＤＬ  ａｓｓｉｇｎｍｅｎｔと、上りリンク信号の割当て情報を通知するＵＬ  ｇｒａｎｔを生成する。
【０１０５】
例えば、上記第１の態様において、下り制御信号生成部３０２は、ＦＤＤセルとＴＤＤセルの両方でＵＬとなるサブフレームでＡ／Ｎを集約して多重する（ＰＵＣＣＨ送信する）セルに関する情報を下り制御情報（ＤＣＩ）に含める。また、上記第２の態様において、下り制御信号生成部３０２は、ＦＤＤセルとＴＤＤセルの両方でＵＬとなるサブフレームにおけるＲＦ調整の適用有無に関する情報を下り制御情報に含める。
【０１０６】
具体的には、下り制御信号生成部３０２は、ＳＣｅｌｌのＡＲＩと、ＡＲＯとを利用して、ユーザ端末がＡ／Ｎフィードバックに利用するセル（フィードバック先のセル）や、当該セルで利用するＰＵＣＣＨリソースに関する情報を生成する。あるいは、下り制御信号生成部３０２は、ＳＣｅｌｌのＡＲＩと、ＡＲＯとを利用して、ＲＦ調整の適用有無や、利用するＰＵＣＣＨリソースに関する情報を生成する。
【０１０７】
なお、下り制御信号生成部３０２は、ユーザ端末のＡ／Ｎのフィードバック先のセルに関する情報や、ＲＦ調整の適用有無に関する情報を、サーチスペースの種類、制御チャネルの種類、又はＰＤＣＣＨ／ＥＰＤＣＣＨの場所等に対応づけて制御情報を生成してもよい。この場合、下り制御信号生成部３０２は、制御部３０１からの指示に基づいて下り制御情報を生成する。
【０１０８】
下りデータ信号生成部３０３は、下りデータ信号（ＰＤＳＣＨ信号）を生成する。下りデータ信号生成部３０３により生成されるデータ信号には、各ユーザ端末２０からのＣＳＩ等に基づいて決定された符号化率、変調方式に従って符号化処理、変調処理が行われる。
【０１０９】
マッピング部３０４は、制御部３０１からの指示に基づいて、下り制御信号生成部３０２で生成された下り制御信号と、下りデータ信号生成部３０３で生成された下りデータ信号の無線リソースへの割当てを制御する。
【０１１０】
デマッピング部３０５は、ユーザ端末から送信された上りリンク信号をデマッピングして、上りリンク信号を分離する。チャネル推定部３０６は、デマッピング部３０５で分離された受信信号に含まれる参照信号からチャネル状態を推定し、推定したチャネル状態を上り制御信号復号部３０７、上りデータ信号復号部３０８に出力する。
【０１１１】
上り制御信号復号部３０７は、上り制御チャネル（ＰＵＣＣＨ）でユーザ端末から送信されたフィードバック信号（送達確認信号等）を復号し、制御部３０１へ出力する。上りデータ信号復号部３０８は、上り共有チャネル（ＰＵＳＣＨ）でユーザ端末から送信された上りデータ信号を復号し、判定部３０９へ出力する。判定部３０９は、上りデータ信号復号部３０８の復号結果に基づいて、再送制御判定（Ａ／Ｎ判定）を行うと共に結果を制御部３０１に出力する。
【０１１２】
図１６は、本実施の形態に係るユーザ端末２０の全体構成図である。ユーザ端末２０は、ＭＩＭＯ伝送のための複数の送受信アンテナ２０１と、アンプ部２０２と、送受信部（受信部）２０３と、ベースバンド信号処理部２０４と、アプリケーション部２０５とを備えている。
【０１１３】
下りリンクのデータについては、複数の送受信アンテナ２０１で受信された無線周波数信号がそれぞれアンプ部２０２で増幅され、送受信部２０３で周波数変換されてベースバンド信号に変換される。このベースバンド信号は、ベースバンド信号処理部２０４でＦＦＴ処理や、誤り訂正復号、再送制御の受信処理等がなされる。この下りリンクのデータの内、下りリンクのユーザデータは、アプリケーション部２０５に転送される。アプリケーション部２０５は、物理レイヤやＭＡＣレイヤより上位のレイヤに関する処理等を行う。また、下りリンクのデータの内、報知情報もアプリケーション部２０５に転送される。
【０１１４】
一方、上りリンクのユーザデータについては、アプリケーション部２０５からベースバンド信号処理部２０４に入力される。ベースバンド信号処理部２０４では、再送制御（Ｈ−ＡＲＱ  （Ｈｙｂｒｉｄ  ＡＲＱ））の送信処理や、チャネル符号化、プリコーディング、ＤＦＴ処理、ＩＦＦＴ処理等が行われて各送受信部２０３に転送される。送受信部２０３は、ベースバンド信号処理部２０４から出力されたベースバンド信号を無線周波数帯に変換する。その後、アンプ部２０２は、周波数変換された無線周波数信号を増幅して送受信アンテナ２０１により送信する。
【０１１５】
図１７は、ユーザ端末２０が有するベースバンド信号処理部２０４の主な機能構成図である。図１７に示すように、ユーザ端末２０が有するベースバンド信号処理部２０４は、制御部４０１（フィードバック制御部）と、上り制御信号生成部４０２と、上りデータ信号生成部４０３と、マッピング部４０４と、デマッピング部４０５と、チャネル推定部４０６と、下り制御信号復号部４０７と、下りデータ信号復号部４０８と、判定部４０９と、を少なくとも含んで構成されている。
【０１１６】
制御部４０１は、無線基地局から送信された下り制御信号（ＰＤＣＣＨ信号）や、受信したＰＤＳＣＨ信号に対する再送制御判定結果に基づいて、上り制御信号（Ａ／Ｎ信号等）や上りデータ信号の生成を制御する。無線基地局から受信した下り制御信号は下り制御信号復号部４０７から出力され、再送制御判定結果は、判定部４０９から出力される。
【０１１７】
また、制御部４０１は、ＰＤＳＣＨ信号に対する送達確認信号（Ａ／Ｎ）のフィードバックを制御するフィードバック制御部としても機能する。具体的に、制御部４０１は、ＣＡが適用される通信システムにおいて、Ａ／Ｎをフィードバックするセル（又は、ＣＣ）や、Ａ／Ｎを割当てるＰＵＣＣＨリソースを決定する。例えば、制御部４０１は、無線基地局から送信された下り制御信号等に基づいて、Ａ／Ｎのフィードバック先のセルや、利用するＰＵＣＣＨリソースを決定してマッピング部４０４に指示する。
【０１１８】
例えば、ＴＤＤ−ＦＤＤ  ＣＡを適用する上記第１の態様の態様１において、制御部４０１は、１ＣＣでＡ／Ｎを送信する場合にＰＵＣＣＨ送信をＦＤＤセルに限定して行うように制御する（上記図７参照）。この場合、ＦＤＤセルがＰＣｅｌｌであるかＳＣｅｌｌであるかに関わらず、ＦＤＤセルのＰＵＣＣＨを用いてＡ／Ｎのフィードバックを行う。
【０１１９】
上記第１の態様の態様２において、制御部４０１は、１ＣＣでＡ／Ｎを送信する場合にＰＵＣＣＨ送信をＦＤＤセルとＴＤＤセルとを用いて送信するように制御する（上記図８参照）。具体的には、ＦＤＤセルとＴＤＤセルの両方でＵＬが設定されるタイミングでは、ＴＤＤセルのＵＬでＰＵＣＣＨ送信を行い、それ以外のサブフレームではＦＤＤセルのＵＬでＰＵＣＣＨ送信を行うように制御する。
【０１２０】
上記第１の態様の態様３において、制御部４０１は、１ＣＣでＡＣＫ／ＮＡＣＫを送信する場合に、ＦＤＤセル又はＴＤＤセルのＡ／Ｎの送信有無に基づいて、ＦＤＤセルとＴＤＤセルの両方でＵＬとなるサブフレームでＰＵＣＣＨ送信を行うセルを決定する（上記図９参照）。
【０１２１】
また、ＴＤＤ−ＦＤＤ  ＣＡを適用する上記第２の態様において、制御部４０１は、ＦＤＤセルとＴＤＤセルの両方でＵＬとなるタイミングにおけるＲＦ調整の適用有無を、ＦＤＤセル又はＴＤＤセルのＡ／Ｎの送信有無に基づいて決定する（上記図１１参照）。
【０１２２】
上り制御信号生成部４０２は、制御部４０１からの指示に基づいて上り制御信号（送達確認信号やチャネル状態情報（ＣＳＩ）等のフィードバック信号）を生成する。また、上りデータ信号生成部４０３は、制御部４０１からの指示に基づいて上りデータ信号を生成する。なお、制御部４０１は、無線基地局から通知される下り制御信号にＵＬグラントが含まれている場合に、上りデータ信号生成部４０３に上りデータ信号の生成を指示する。
【０１２３】
マッピング部４０４（割当て部）は、制御部４０１からの指示に基づいて、上り制御信号（送達確認信号等）と上りデータ信号の無線リソース（ＰＵＣＣＨ、ＰＵＳＣＨ）への割当てを制御する。例えば、マッピング部４０４は、フィードバック（ＰＵＣＣＨ送信）を行うＣＣ（セル）に応じて、当該ＣＣのＰＵＣＣＨにＡ／Ｎの割当てを行う。
【０１２４】
デマッピング部４０５は、無線基地局１０から送信された下りリンク信号をデマッピングして、下りリンク信号を分離する。チャネル推定部４０６は、デマッピング部４０５で分離された受信信号に含まれる参照信号からチャネル状態を推定し、推定したチャネル状態を下り制御信号復号部４０７、下りデータ信号復号部４０８に出力する。
【０１２５】
下り制御信号復号部４０７は、下り制御チャネル（ＰＤＣＣＨ）で送信された下り制御信号（ＰＤＣＣＨ信号）を復号し、スケジューリング情報（上りリソースへの割当て情報）を制御部４０１へ出力する。また、下り制御信号に送達確認信号をフィードバックするセルに関する情報や、ＲＦ調整の適用有無に関する情報が含まれている場合も、制御部４０１へ出力する。
【０１２６】
下りデータ信号復号部４０８は、下り共有チャネル（ＰＤＳＣＨ）で送信された下りデータ信号を復号し、判定部４０９へ出力する。判定部４０９は、下りデータ信号復号部４０８の復号結果に基づいて、再送制御判定（Ａ／Ｎ判定）を行うと共に結果を制御部４０１に出力する。
【０１２７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。例えば、上述した複数の態様を適宜組み合わせて適用することができる。従って、本明細書の記載は、例示説明を目的とするものであり、本発明に対して何ら制限的な意味を有するものではない。
【符号の説明】
【０１２８】
１…無線通信システム
１０…無線基地局
１１…無線基地局（マクロ基地局）
１２、１２ａ、１２ｂ…無線基地局（スモール基地局）
２０…ユーザ端末
３０…上位局装置
４０…コアネットワーク
１０１…送受信アンテナ
１０２…アンプ部
１０３…送受信部
１０４…ベースバンド信号処理部
１０５…呼処理部
１０６…伝送路インターフェース
２０１…送受信アンテナ
２０２…アンプ部
２０３…送受信部
２０４…ベースバンド信号処理部
２０５…アプリケーション部
３０１…制御部（スケジューラ）
３０２…下り制御信号生成部
３０３…下りデータ信号生成部
３０４…マッピング部
３０５…デマッピング部
３０６…チャネル推定部
３０７…上り制御信号復号部
３０８…上りデータ信号復号部
３０９…判定部
４０１…制御部（フィードバック制御部）
４０２…上り制御信号生成部
４０３…上りデータ信号生成部
４０４…マッピング部
４０５…デマッピング部
４０６…チャネル推定部
４０７…下り制御信号復号部
４０８…下りデータ信号復号部
４０９…判定部
【図１】
0006031017.tif 000002
【図２】
0006031017.tif 000003
【図３】
0006031017.tif 000004
【図４】
0006031017.tif 000005
【図５】
0006031017.tif 000006
【図６】
0006031017.tif 000007
【図７】
0006031017.tif 000008
【図８】
0006031017.tif 000009
【図９】
0006031017.tif 000010
【図１０】
0006031017.tif 000011
【図１１】
0006031017.tif 000012
【図１２】
0006031017.tif 000013
【図１３】
0006031017.tif 000014
【図１４】
0006031017.tif 000015
【図１５】
0006031017.tif 000016
【図１６】
0006031017.tif 000017
【図１７】
0006031017.tif 000018